(57)【要約】【課題】一枚のシート材を折り畳んで構成された小物入れであって、歩留まりが高く、耐久性が高く、デザインに面白味がある小物入れを提供する。【解決手段】一対の短辺部２および長辺部３を有する切れ込みの無い四角形状のシート材４を用意し、シート材４の各短辺部２を中央に向けて夫々折り畳んで形成された一対の収容部７と、収容部７の左右の縁部８をシート材４の長辺部３から内方に斜めにズラしてシート材４に固定して収容部７の開口１０を形成する固定具９と、シート材４の各長辺部３を短辺部２の折り畳み方向とは逆方向に折り畳んで形成された折返部１４と、固定具９を隠すと共に一対の収容部７が背中合わせに配置されるようにシート材４の中央を折り畳み、その状態で折返部１４同士を接合する接合具１１とを備え、シート材４が縫製されることなく折り畳まれた状態で、固定具９および接合具１１によって形状保持されている。【選択図】図３
0003203359.tif 000002
【実用新案登録請求の範囲】
【請求項１】
一対の短辺部および長辺部を有する切れ込みの無い四角形状のシート材を折り畳んで構成された小物入れであって、
前記シート材の各短辺部を中央に向けて夫々折り畳んで形成された一対の収容部と、
該収容部の左右の縁部を前記シート材の長辺部から内方に斜めにズラして前記シート材に固定して前記収容部の開口を形成する固定具と、
前記シート材の各長辺部を前記短辺部の折り畳み方向とは逆方向に折り畳んで形成された折返部と、
前記固定具を隠すと共に前記一対の収容部が背中合わせに配置されるように前記シート材の中央を折り畳み、その状態で前記折返部同士を接合する接合具とを備え、
前記シート材が縫製されることなく折り畳まれた状態で、前記固定具および前記接合具によって形状保持されたことを特徴とする小物入れ。
【請求項２】
前記一対の収納部に、ベルトの両端部を着脱自在に取り付け、該ベルトが、前記収納部の開口の少なくとも一部を覆うカバーとなる、ことを特徴とする請求項１に記載の小物入れ。
【請求項３】
前記シート材は、表面と裏面とで外観が相違し、そのシート材を表面が表となるように折り畳むことで、前記収容部の開口の上方に裏面が露出した、ことを特徴とする請求項１又は２に記載の小物入れ。
【考案の詳細な説明】
【技術分野】
【０００１】
本考案は、シート材を適宜折り畳み、所定箇所を金具等で固定して構成された小物入れに関する。
【背景技術】
【０００２】
素材が皮等からなるシート材を折り畳んで構成された小物入れ、紙幣入れ、財布に関しては、様々な特許出願、実用新案登録出願、意匠登録出願がなされている（特許文献１〜３参照）。
【０００３】
特許文献１には、所定箇所に切れ込みが入った一枚のシート材を、切れ込みを利用して折り畳んで組み立てられた紙幣入れが開示されている。特許文献２には、略十字状に切り抜かれた一枚のシート材を、中央に向けて折り畳んで構成された小物入れが開示されている。特許文献３には、所定箇所に切れ込みが入った一枚のシートであって、切れ込みを利用して折り畳むことで財布を構成することができる財布用展開シートが開示されている。
【先行技術文献】
【特許文献】
【０００４】
【特許文献１】特開２０１３−９９４９５号公報
【特許文献２】実用新案登録第３１９３６７８号公報
【特許文献３】意匠登録第１５１９４２４号公報
【考案の概要】
【考案が解決しようとする課題】
【０００５】
しかし乍ら、特許文献１〜３に開示された紙幣入れ、小物入れ、財布用展開シート等は、何れも、折り畳む前のシート材が所定形状に切り抜かれており、歩留まりが悪い。例えば、長方形状の素材シートを所定形状に切り抜いてシート材を製造すると、切り抜いた部分は製品として使用されない廃材となるため、使用素材に対する製品出来高の割合、すなわち歩留まりの悪化が避けられない。特に、素材に高価な皮を用いた場合、歩留まりの悪化は製品の売価のアップに繋がるため、歩留まりの向上が求められる。
【０００６】
特許文献１〜３に開示された紙幣入れ等は、所定箇所に切れ込みが入ったシート材を折り畳んで構成されているため、紙幣の入口部分を開閉する等の使用に伴って、シート材の切れ込みの奧の部分に応力が集中することが避けられず、経年使用により切れ込みの部分に亀裂が生じる可能性がある。すなわち、耐久性の点で改善の余地がある。
【０００７】
特許文献１〜３に開示された紙幣入れ等は、シート材（皮材）を折り畳んで構成されているが、折り畳んで構成された製品（紙幣入れ等）は、皮材の一方の面（表面）のみが露出しており、皮材の他方の面（裏面）は露出していない。製品に皮材の表面に加えて裏面が適切に露出することでデザインに面白味が生じるため、改善の余地がある。
【０００８】
以上の事情を考慮して創案された本発明の目的は、一枚のシート材を折り畳んで構成された小物入れであって、歩留まりが高く、耐久性が高く、デザインに面白味がある小物入れを提供することにある。
【課題を解決するための手段】
【０００９】
上記目的を達成するために創案された本考案によれば、一対の短辺部および長辺部を有する切れ込みの無い四角形状のシート材を折り畳んで構成された小物入れであって、シート材の各短辺部を中央に向けて夫々折り畳んで形成された一対の収容部と、収容部の左右の縁部をシート材の長辺部から内方に斜めにズラしてシート材に固定して収容部の開口を形成する固定具と、シート材の各長辺部を短辺部の折り畳み方向とは逆方向に折り畳んで形成された折返部と、固定具を隠すと共に一対の収容部が背中合わせに配置されるようにシート材の中央を折り畳み、その状態で折返部同士を接合する接合具とを備え、シート材が縫製されることなく折り畳まれた状態で、固定具および接合具によって形状保持されたことを特徴とする小物入れが提供される。
【００１０】
本考案に係る小物入れにおいては、一対の収納部に、ベルトの両端部を着脱自在に取り付け、ベルトが、収納部の開口の少なくとも一部を覆うカバーとなっていてもよい。
【００１１】
本考案に係る小物入れにおいては、シート材は、表面と裏面とで外観が相違し、そのシート材を表面が表となるように折り畳むことで、収容部の開口の上方に裏面が露出していてもよい。
【考案の効果】
【００１２】
本考案に係る小物入れによれば、次のような効果を発揮できる。
（１）切れ込みの無い四角形状のシート材を使用しているので、歩留まりが向上し、製品である小物入れのコストダウンを図ることができる。
（２）シート材に切れ込みが無いので、使用に伴って切れ込み部分に生じる応力集中を回避でき、製品（小物入れ）の耐久性が向上する。
（３）シート材の畳み方に工夫があり、シート材の裏面が製品（小物入れ）の外観に部分的に表れるため、デザインに面白味が生じる。
【図面の簡単な説明】
【００１３】
【図１】本考案の一実施形態に係る小物入れの外観を示す斜視図である。
【図２】上記小物入れを一枚のシート材から折り畳んで製造する工程を示す説明図であり、（ａ）は第１工程図、（ｂ）は第２工程図である。
【図３】続く工程を示す説明図であり、（ｃ）は第３工程図、（ｄ）は第４工程図（ｅ）は第５工程図である。
【図４】続く工程を示す説明図であり、（ｆ）は第６工程図、（ｇ）は第７工程図（ｈ）は第８工程図である。
【考案を実施するための形態】
【００１４】
以下に添付図面を参照しながら、本考案の好適な実施形態について詳細に説明する。なお、本明細書及び図面において、実質的に同一の機能、構成を有する要素については、同一の符号を付することにより重複説明を省略し、また本考案に直接関係のない要素は図示を省略する。
【００１５】
図１に本発明の一実施形態に係る小物入れ１の外観を示す。この小物入れ１は、以下に説明するように、切れ込みの無い四角形状（長方形状）のシート材を折り畳んで構成されており、ボールペンや鉛筆等の筆記具、携帯電話、スマートフォン、手帳等を収容するものである。以下、この小物入れ１の製造工程について図２〜図４を用いて説明する。
【００１６】
図２（ａ）に示すように、一対の短辺部２および長辺部３を有する切れ込みの無い四角形状のシート材４を用意する。シート材４の材質としては、本皮、合皮、布地（織物、編物、不織布、ジーンズ地）等が用いられ、表面４ａと裏面４ｂとで外観が異なるものが好ましい。図１に示すように、完成した製品（小物入れ１）にはシート材４の表面４ａのみならず裏面４ｂが部分的に露出することになり、デザインに面白味を与えるためである。各図において、シート材４の裏面４ｂをドットで表し、シート材４の表面４ａを白抜きで表す。
【００１７】
シート材４の形状は、図２（ａ）に示す長方形に限られることはなく、一対の短辺部２および長辺部３を有していれば、短辺部２および長辺部３の何れか一方が平行な台形でもよく、短辺部２および長辺部３が共に平行ではない四角形でもよい。シート材４の表面４ａには、各短辺部２の中央近傍に位置して、ベルト金具５が取り付けられている。
【００１８】
このシート材４を、裏面４ｂを上にした状態で図２（ａ）の破線６で谷折りする。すなわち、シート材４の各短辺部２を中央に向けて夫々対称に折り畳むことで、図２（ｂ）に示すように、一対の収容部７を形成する。このとき、各収容部７の部分はシート材４の表面４ａが露出し、収容部７同士の間の部分はシート材４の裏面４ｂが露出した状態となる。収容部７の内側の底は、シート材４が折り返されて構成されているため、丈夫である。
【００１９】
図３（ｃ）に示すように、収容部７の左右の縁部８を、シート材４の長辺部３から内方に斜めにズラした状態で、固定具９によってシート材４に固定する。これにより、収容部７の短辺部２が図３（ｃ）において紙面手前側に浮き上がり、収容部７の開口１０が形成される。固定具９には、例えば、樹脂製のリベットが用いられるが、これに限定されない。
【００２０】
図３（ｄ）に示すように、各収容部７の底の左右に、接合具１１を夫々取り付ける。接合具１１は、後述する図４（ｆ）、図４（ｇ）の工程においてワーク（シート材４）の中央を一点鎖線１２で山折りしたときに接合され、製品（小物入れ１）の形状を保持する。接合具１１には、例えば、バネホック等が用いられるが、これに限定されない。
【００２１】
図３（ｄ）に示すように、ワーク（シート材４）の各長辺部３を、一点鎖線１３で山折りすることで、短辺部２の折り畳み方向（図２（ａ）の破線６参照）とは逆方向に折り畳む。これにより、図３（ｅ）に示すように、折返部１４が夫々形成される。なお、各図において、山折り線を一点鎖線で表し、谷折り線を破線で表す。
【００２２】
図４（ｆ）に示すように、ワーク（シート材４）の中央を一点鎖線１２で山折りし、図４（ｇ）に示すように、折返部１４を互いに重ね合わせた状態とし、接合具１１（例えばバネホック）同士を接合する。すなわち、固定具９を隠すと共に一対の収容部７が背中合わせに配置されるようにワーク（シート材４）の中央を折り畳み、その状態で折返部１４同士を重ね合わせた状態で接合具１１で接合する。
【００２３】
図４（ｈ）に示すように、各収納部７に取り付けておいたベルト金具５に、ベルト１５の両端を着脱自在に取り付ける。これにより、図１に示すように、小物入れ１が完成する。ベルト金具５には、例えば、差し込み尾錠等が用いられる。なお、ベルト１５は、収納部７の開口１０の少なくとも一部を覆うカバーとしても機能するものであり、開口１０を完全に覆う幅広の蓋状形状であってもよい。また、ベルト１５の外面に名入れを施してもよい。
【００２４】
以上説明したように、本実施形態に係る小物入れ１は、一対の短辺部２および長辺部３を有する切れ込みの無い四角形状のシート材４を折り畳んで構成された小物入れ１であって、シート材４の各短辺部２を中央に向けて夫々折り畳んで形成された一対の収容部７と、収容部７の左右の縁部８をシート材４の長辺部３から内方に斜めにズラしてシート材４に固定して収容部７の開口１０を形成する固定具９と、シート材４の各長辺部３を短辺部２の折り畳み方向とは逆方向に折り畳んで形成された折返部１４と、固定具９を隠すと共に一対の収容部７が背中合わせに配置されるようにシート材４の中央を折り畳み、その状態で折返部１４同士を接合する接合具１１とを備え、シート材４が縫製されることなく折り畳まれた状態で、固定具９および接合具１１によって形状保持されて構成されている。
【００２５】
本実施形態に係る小物入れ１の作用効果を述べる。
【００２６】
図２（ａ）に示すように、素材に切れ込みの無い四角形状のシート材４を使用しているので、歩留まりが向上し、製品である小物入れ１のコストダウンを図ることができる。仮に、長方形状の素材シートを所定形状に切り抜いたシート材を用いた場合、切り抜いた部分は製品として使用されない廃材となるため、使用素材に対する製品出来高の割合、すなわち歩留まりの悪化が避けられない。特に、素材に高価な皮を用いた場合、歩留まりの悪化は製品の売価のアップに繋がる。本実施形態に係る小物入れ１によれば、素材に切れ込みの無い四角形状のシート材４を使用しているので、歩留まりが向上し、製品である小物入れ１のコストダウンを図ることができる。
【００２７】
図２（ａ）に示すように、折り畳まれるシート材４に切れ込みが無いので、製品である小物入れ１の使用に伴って切れ込み部分に生じる応力集中を回避でき、製品（小物入れ１）の耐久性が向上する。仮に、所定箇所に切れ込みが入ったシート材を、切れ込みを利用して折り畳んで製品を製造した場合、使用に伴ってシート材の切れ込みの奧の部分に応力が集中することが避けられず、経年使用により切れ込みの部分に亀裂が生じる可能性がある。本実施形態に係る小物入れ１によれば、折り畳まれるシート材４に切れ込みが無いので、使用に伴って切れ込み部分に生じる応力集中を回避でき、製品（小物入れ１）の耐久性が向上する。
【００２８】
シート材４の畳み方に工夫があり、シート材４の裏面の一部が、図１に示すように、製品（小物入れ１）の外観に部分的に表れるため、デザインに面白味が生じる。すなわち、シート材４は、表面４ａと裏面４ｂとで外観が相違する本皮、合皮、布地（織物、編物、不織布、ジーンズ地）等から成っていて、そのシート材４を大部分が表面４ａが表となるように折り畳むことで、収容部７の開口１０の上方に裏面４ｂが露出するため、デザインに面白味が生じ、商品価値が高まる。
【００２９】
シート材４を縫製することなく折り畳み、所定箇所を固定具９および接合具１１で止めることで形状を保持しているので、短時間に低コストで簡単に製造できる。例えば、シート材４およびベルト１５について、形状、色、材質、サイズ等が異なったものを複数用意しておけば、展示即売会等において、購入者から所定の組み合わせのオーダーメイドを受けたとき、様々な組み合わせに容易に対応して製造できる。よって、本実施形態に係る小物入れ１は、カスタマイズが容易であり、実演販売に好適な構造である。
【００３０】
以上、添付図面を参照しつつ本考案の好適な実施形態について説明したが、本考案は上述した各実施形態に限定されないことは勿論であり、実用新案登録請求の範囲に記載された範疇における各種の変更例又は修正例についても、本考案の技術的範囲に属することは言うまでもない。例えば、収納部７の内部に仕切を追加してもよい。また、本考案に係る小物入れ１は、図1に示す縦長形状（スマートフォンを縦向きに収納する）ではなく、横長（スマートフォンを横向きに収納する）であってもよい。小物入れ1の本体となるシート材４を合皮などの安価な材料とし、名入れをするベルト１５を本皮として、全体としてコストダウンを図ってもよい。
【産業上の利用可能性】
【００３１】
本考案は、四角形状のシート材を縫製することなく折り畳んで構成された小物入れに利用できる。
【符号の説明】
【００３２】
１  小物入れ
２  短辺部
３  長辺部
４  シート材
４ａ  表面
４ｂ  裏面
７  収容部
８  縁部
９  固定具
１０  開口
１１  接合具
１４  折返し部
１５  ベルト
【図１】
0003203359.tif 000003
【図２】
0003203359.tif 000004
【図３】
0003203359.tif 000005
【図４】
0003203359.tif 000006